(57)【要約】【課題】  多層成形品を成形するにあたり、成形途中に金型を交換することなく、１層目と２層目で成形した樹脂の成形品の形状が異なる成形品を成形する。【解決手段】  金型キャビティに対して進退自在に移動する入れ子を金型キャビティ面の一部として組み込んで配し、第２層を成形する際において、油圧シリンダ等の駆動機により、該入れ子を金型キャビティ方向に前進又は後退させて金型キャビティの形状を変化させることによって、１層目と２層目で成形した樹脂の成形品の形状が異なった多層成形品を成形する。本発明によれば、金型交換装置等といった特殊な装置を使用することなく、１層目と２層目の形状が異なる多層成形品が製造できる。【選択図】          図１
2008149562.tif 000002
【特許請求の範囲】
【請求項１】
金型キャビティに第１の樹脂を充填して第１層を成形する工程と、該第１層を成形した後、該金型キャビティの容積を拡大して形成した空隙部に第２の樹脂を充填して第２層を成形する工程を、備えた樹脂の多層成形方法において、
金型キャビティに対して進退自在に移動する入れ子を金型キャビティ面の一部として組み込んで配し、該第２層を成形する際において、該入れ子を金型キャビティ方向に前進又は後退させて金型キャビティの形状を変化させることを特徴とした樹脂の多層成形方法。
【請求項２】
前記第２の樹脂が発泡性を有する場合に、該樹脂を充填した後、金型キャビティの容積を拡大して樹脂を発泡させる請求項１記載の樹脂の多層成形方法。
【請求項３】
前記第２の樹脂が発泡性を有する場合に、該樹脂を発泡させる際に、前記入れ子を駆動装置により金型キャビティ方向に前進又は後退させて金型キャビティの形状を変化させる請求項１又は請求項２記載の多層成形方法。
【請求項４】
金型キャビティに第１の樹脂を充填して第１層を成形する工程と、該第１層を成形した後、該金型キャビティの容積を拡大して形成した空隙部に第２の樹脂を充填して第２層を成形する工程を、備えた樹脂の多層成形方法に用いる多層成形用金型であって、
金型内に入れ子を配して金型キャビティ面の一部を入れ子で形成するとともに、
該入れ子を金型キャビティ方向に前進又後退できるよう摺動自在に金型内で支持し、かつ、該入れ子に連結する駆動装置を金型内に配して、該入れ子が該金型キャビティ方向に前進又後退する多層成形用金型。
【請求項５】
少なくとも２台以上の樹脂の射出機構、少なくとも２つ以上の樹脂が成形できる多層成形用金型、及び該多層成形金型を型締する型締装置を備えて、
金型キャビティに第１の樹脂を充填して第１層を成形する工程と、該第１層を成形した後、該金型キャビティを拡大して形成した空隙部に第２の樹脂を充填して第２層を成形する工程を、行う樹脂の多層成形装置において、
前記多層成形用金型は、金型内に入れ子を配して金型キャビティ面の一部を入れ子で形成するとともに、該入れ子を金型キャビティ方向に前進又後退できるよう摺動自在に金型内で支持し、かつ、該入れ子に連結する駆動装置を金型内に配して、該入れ子が該金型キャビティ面に対して前進又後退することを特徴とする樹脂の多層成形装置。
【請求項６】
前記型締装置がトグル式型締機構を備えた請求項５記載の樹脂の多層成形装置。
【発明の詳細な説明】
【技術分野】
【０００１】
本発明は、金型キャビティに少なくとも２種類以上の樹脂を射出して成形する樹脂の多層成形に係り、樹脂を多層に成形する際において、それぞれ異なる層で、その形状を変えることができる多層成形方法、又その多層成形に用いるに好適な多層成形用金型並びに多層成形装置に係る。
【背景技術】
【０００２】
従来から、２種類以上の樹脂を金型内に射出して成形する樹脂の多層成形方法は、広く知られており、樹脂の多層成形品は幅広い分野で使用されている。
【０００３】
発泡層を備えた多層成形品も、従来から製造されてきたが、近年は、特に樹脂の使用量を減らして軽量化できるという理由から、市場が広まっており、多くの製品分野でその使用が検討されはじめている。軽量化はコストの低減につながることもあいまって発泡品の分野を更に広げた。
【０００４】
発泡層を備えた多層成形品を成形する技術として、特許文献１や特許文献２に開示された多層成形方法が公知である。
【０００５】
【特許文献１】特開昭５４−８６５５０号公報
【０００６】
【特許文献２】特公昭４６−２９６３７号公報
【０００７】
特許文献１には、１層目の樹脂を金型内で成形した後、金型をわずかに開いて金型キャビティを拡大し、該拡大した金型キャビティ内に２層目の樹脂を注入して樹脂を発泡させる多層成形方法が開示されている。そして、特許文献１には、さらに、２層目の樹脂を発泡させる際において、必要に応じて適宜金型キャビティを拡大する発泡成形法方が合わせて開示されている。特許文献１に開示される多層成形方法によれば、１層目を成形する樹脂と２層目を成形する樹脂を異ならせることができ、例えば、２層目の樹脂のみを発泡させることによって、ソフトな感触と剛性とを兼ね備えた高機能な発泡成形品を成形することも可能である。
【０００８】
同様に、特許文献２には、１層目の樹脂を金型内で成形した後、金型キャビティを拡大し、該拡大した金型キャビティ内に２層目の樹脂を注入して発泡させる多層成形方法が開示されている。従って、特許文献１に開示された前述の多層成形と同じく、特許文献２に開示された多層成形方法においても、１層目を成形する樹脂と２層目を成形する樹脂を異ならせることができ、その結果、高機能な多層成形品を成形することが可能である。
【０００９】
なお、２層目の樹脂を射出するために必要な空隙を確保するために、金型キャビティを拡大する方法として、前述のように金型をわずかに開く方法が公知であるが、その他にもいくつかの方法があって、例えば、特許文献３に示すような、ダイ交換によって金型キャビティを拡大する方法が公知である。
【００１０】
【特許文献３】特開平６−１３４８０３号公報
【００１１】
特許文献３に開示される技術は、金型の一部を成形中に交換して金型キャビティの形状を変更する方法である。
【発明の開示】
【発明が解決しようとする課題】
【００１２】
ところで、より広い製品分野にまで多層成形品を適応させるために、１層目と２層目の形状が異なる多層成形品が求められてきている。
例えば、２層目のみに突起を形成して他の部品へ容易に取り付くような形状とした多層成形品であるとか、また、２層目を発泡層として、その層厚を部分的に大きくしたり小さくしたり変化させることによって吸音性や断熱性を機能的に高めた多層成形品である。
【００１３】
しかしながら、前述した従来の特許文献１又特許文献２に開示された多層成形方法においては、１層目で成形する成形品の形状によって、２層目で成形する成形品の形状が限定されるために、２層目で成形する成形品の形状については、その自由度が少ない。
つまり、金型を開くことによって金型キャビティを拡大し、そこで２層目の樹脂を成形する場合において、２層目の成形品は、必然的に、１層目の樹脂で成形した成形品の外形を型開閉方向に均一な厚みの樹脂で覆い隠すような形状の成形品になる。
従って、２層目の成形品については、その肉厚（型開閉方向側の寸法）を全体的に大きくしたり小さくしたりできる程度の自由度しかない。言い換えれば、１層目で成形した成形品の形状によって、２層目で成形する成形品の形状がほぼ決まってしまう。
そのため、２層目の外形を部分的に変化させて、１層目で成形した成形品の外形と異ならせるといった発泡成形は困難である。
【００１４】
また、特許文献３に開示される多層成形方法においては、前述の特許文献１又２のように、１層目で成形した成形品の形状によって２層目で成形する成形品の形状が決まるということはない。しかし、成形中に金型を交換するために、特殊な金型交換装置が必要であり、成形機のサイズが大型化するとともに、サイクルタイムが長くなるという問題を有した。さらに、成形中に交換するための金型が必要で高コストであるという問題も有する。
【００１５】
本発明は、以上のような問題に鑑みてなされたものであり、より広い製品分野にまで多層成形品の利用範囲を広げることを目的として１層目と２層目の形状が異なる多層成形品が製造するに好適な多層成形方法、多層成形用金型並びに多層成形装置を提供するものである。
【課題を解決するための手段】
【００１６】
上記の目的を達成するため、本発明による樹脂の多層成形方法は、
（１）  金型キャビティに第１の樹脂を充填して第１層を成形する工程と、該第１層を成形した後、該金型キャビティの容積を拡大して形成した空隙部に第２の樹脂を充填して第２層を成形する工程を、備えた樹脂の多層成形方法において、
金型キャビティに対して進退自在に移動する入れ子を金型キャビティ面の一部として組み込んで配し、該第２層を成形する際において、該入れ子を金型キャビティ方向に前進又は後退させて金型キャビティの形状を変化させることを特徴とした。
【００１７】
（２）  前記（１）の多層成形方法において、前記第２の樹脂が発泡性を有する場合に、該樹脂を充填した後、金型キャビティの容積を拡大して樹脂を発泡させる。
【００１８】
（３）  前記（１）又は（２）の多層成形方法において、前記第２の樹脂が発泡性を有する場合に、該樹脂を発泡させる際に、前記入れ子を駆動装置により金型キャビティ方向に前進又は後退させて金型キャビティの形状を変化させる。
【００１９】
また、上記の目的を達成するため、本発明による樹脂の多層成形用金型は、
（４）  金型キャビティに第１の樹脂を充填して第１層を成形する工程と、該第１層を成形した後、該金型キャビティの容積を拡大して形成した空隙部に第２の樹脂を充填して第２層を成形する工程を、備えた樹脂の多層成形方法に用いる多層成形用金型であって、金型内に入れ子を配して金型キャビティ面の一部を入れ子で形成するとともに、該入れ子を金型キャビティ方向に前進又後退できるよう摺動自在に金型内で支持し、かつ、該入れ子に連結する駆動装置を金型内に配して、該入れ子が該金型キャビティ方向に前進又後退する構成とした。
【００２０】
さらに上記の目的を達成するため、本発明による樹脂の多層成形装置は、
（５）  少なくとも２台以上の樹脂の射出機構、少なくとも２つ以上の樹脂が成形できる多層成形用金型、及び該多層成形金型を型締する型締装置を備えて、
金型キャビティに第１の樹脂を充填して第１層を成形する工程と、該第１層を成形した後、該金型キャビティを拡大して形成した空隙部に第２の樹脂を充填して第２層を成形する工程を、行う樹脂の多層成形装置において、
前記多層成形用金型は、金型内に入れ子を配して金型キャビティ面の一部を入れ子で形成するとともに、該入れ子を金型キャビティ方向に前進又後退できるよう摺動自在に金型内で支持し、かつ、該入れ子に連結する駆動装置を金型内に配して、該入れ子が該金型キャビティ面に対して前進又後退する構成とした。
【００２１】
（６）  前記（５）の多層成形装置において、前記型締装置がトグル式型締機構を備えた構成とした。
【発明の効果】
【００２２】
本発明の多層成形方法によれば、金型交換装置等といった特殊な装置を使用することなく、１層目と２層目の形状が異なる多層成形品が製造できる。
【００２３】
また、第２層を形成する樹脂として発泡性の樹脂（例えば、予め発泡剤を混合した樹脂）を使用する場合に、その層厚を部分的に大きくしたり小さくしたり変化させることにより、吸音性や断熱性を高めた多層成形品を得ることができる。
【００２４】
さらに、本発明による多層成形装置の型締め機構として、トグル式型締機構の型締め装置を用いれば、精度良く可動盤の位置を制御できるので、金型キャビティの容積を精度良くコントロールすることができ、均一微細な発泡セル、精度の高い発泡倍率を有する多層成形品を得ることができる。
【発明を実施するための最良の形態】
【００２５】
以下、本発明を実施するための形態について、その好ましい一例を図面に基づいて詳細に説明する。図１及び図２は本発明の実施の形態に係り、図１は多層成形金型の構成概略を示す要部断面図であり、図２は多層成形装置の全体構成を概念的に示す説明図である。
また、図３及び図４は、本発明の実施の形態に係り多層成形方法の工程を説明する概念図である。図５はスライドコアを駆動する他の駆動機構を説明するための説明図である。  
【００２６】
図２に示した実施形態に使用される多層成形装置１００は、金型１０、型締装置２０、射出装置３０、及び制御装置６０とを備えている。
【００２７】
以下、金型１０の構造について説明する。金型１０は、固定盤１に取り付けられる固定型３と可動盤２に取り付けられる可動型４とからなり、固定型３と可動型４とは嵌合部で嵌め合わされた半押込み構造で、該嵌め合わされた状態で金型キャビティ５を形成している。
【００２８】
そして、該半押込み構造の嵌合部は金型キャビティ全周にわたって形成され、溶融樹脂の充填後に、金型１０をわずかに開いて金型キャビティの容積を拡大又は縮小しても、金型キャビティに充填した樹脂が金型１０から漏れ出すことを防止している。
【００２９】
また、金型１０を構成する固定型３は、後述する第１の射出ユニット３１から射出された樹脂を導入口３Ａから金型キャビティ５まで導入するためのホットランナと、後述する第２の射出ユニット３２から射出された樹脂を導入口３Ｂから金型キャビティ５に導入するためのホットランナと、を有し、前者のホットランナには第１のバルブゲート６Ａ（第１バルブ６Ａと称することもある）を、後者のホットランナには第２のバルブゲート６Ｂ（第２バルブ６Ｂと称することもある）を備えている。
【００３０】
以下、本実施形態による多層成形用金型１０について説明する。
本実施形態による多層成形用金型１０は、金型内に入れ子として２つのスライドコアを配して、金型キャビティ面の一部を形成しており、図１に示したように、金型キャビティの一部として、第１スライドコア７（第１入れ子７）及び第２スライドコア８（第２入れ子８）を組み込むことによって、金型キャビティ面を形成している。
【００３１】
ここで、図１に示した実施形態による金型１０ついて説明すると、第１スライドコア７と第２スライドコア８は、可動型４の金型キャビティ面に加工された型開閉方向に延びる丸穴（シリンダ部と称することもある）に嵌挿されることにより組み込まれて、該シリンダ部の中を摺動自在に動けるよう配設されている。図１に示した実施形態においては、該シリンダ部の中には、ピストンロッド等の油圧シリンダ構成用の部品が挿入されており、該ピストンロッド等の部品とシリンダ部で金型キャビティ５に隣接する油圧シリンダを形成している。そして、第１スライドコア７及び第２スライドコア８は、金型キャビティ５に隣接して形成された前記油圧シリンダのピストンロッド先端に連結されている。
なお、本実施形態においては、構造を簡略化するため前述のような油圧シリンダを駆動機として用いる構成にしたが、駆動機は、図５に示した実施形態のように、市販されている汎用の油圧シリンダＹや電動シリンダ等の駆動機を、接続フランジＦや図示しないカム等を会してスライドコアに接続することにより、駆動する方式としても良い。
【００３２】
本実施形態においては前述の構成によって、第１スライドコア７及び第２スライドコア８が、金型キャビティ方向に、前進又は後退できるよう構成されている。
なお、油圧シリンダのロッド側にはそれぞれ油圧ラインＰ１、又Ｐ３、油圧シリンダのピストンヘッド側にはそれぞれ油圧ラインＰ２、又Ｐ４が接続されている。
従って、第１スライドコア７においては、油圧ラインＰ２に油圧をかけてＰ１から油を抜き出すことにより、第１スライドコア７は金型キャビティ方向側（本実施形態においては固定型３側）に前進して、金型キャビティ内に第１スライドコア７が突出し、第１スライドコア７が突出した分だけ金型キャビティの容積が減るよう構成されている。
また、第１スライドコア７においては、油圧ラインＰ１に油圧をかけてＰ２から油を抜き出すことにより、第１スライドコア７は金型キャビティから離間するように後退して、第１スライドコア７が金型キャビティ方向から後退した分だけ金型キャビティの容積が増えるよう構成されている。
【００３３】
同様に、例えば、第２スライドコア８においては、油圧ラインＰ４に油圧をかけてＰ３から油を抜き出すことにより、第２スライドコア８は金型キャビティ方向側（本実施形態においては固定型３側）に前進して、金型キャビティ内に第２スライドコア８が突出し、第２スライドコア８が突出した分だけ金型キャビティの容積が減るよう構成されている。
また、第２スライドコア８においては、油圧ラインＰ３に油圧をかけてＰ４から油を抜き出すことにより、第２スライドコア８は金型キャビティ５から離間するように後退して、第１スライドコア７が金型キャビティ方向から後退した部分だけ金型キャビティの容積が増えるよう構成されている。
【００３４】
ここで、図１に示す実施形態においては、第２層の成形品の厚みを、部分的に厚くしたり、薄くしたりするために、第１スライドコア７と第２スライドコア８を配している。
【００３５】
なお、本発明に用いられる入れ子の駆動方式、又形状等が前述の実施形態に限らないことは勿論であって、製品に必要とされる機能や形状に合わせて、入れ子の駆動方式や形状等が決定されれば良い。
例えば、図１に示した実施形態においては、第２層の成形品部分に、他の部品との係合部分を形成するため、突出部と嵌合部ができるようにスライドコア７，８の形状を決定したのであって、その要求された目的に応じて、例えば、その形状が、角柱状、Ｌ字型等であっても良く、第２層を形成した後に、成形品が金型１０から取り出せる形状であれば良い。
【００３６】
また、前述した入れ子としてのスライドコアは、製品形状に応じてその個数の増減が可能であり、製品に要求される形状に合わせて適宜その個数を調整すれば良い。
さらに、前述の図１に示した実施形態においては、スライドコア７、８に直結する油圧シリンダを可動型４内に設置する構成としたが、これに限らず、本発明の技術思想を外れない範囲内において、必要であれば、入れ子としてのスライドコアを固定型３に配しても良い。
【００３７】
次に、型締装置２０は、図２に示したように、固定盤１と、可動盤２と、型締用サーボモータ２０Ｂにより動かされるリンク駆動機構に駆動されるトグル式型締機構２１を備えている。また、可動盤２は、固定盤１とエンドプレートとの間に架設された図示しないタイバーにより案内されて、トグル式型締機構２１により可動型４と共に前後進できるよう構成されている。
【００３８】
なお、本実施形態において、型締装置２０に備えたリンク駆動機構のクロスヘッド駆動軸には、クロスヘッドの位置を検出するために図示しないストロークセンサが取り付けられており、可動盤２の位置を精度よくコントロールすることが可能であり、さらに、型開閉ストロークを検出する型開閉ストロークセンサとして、図示しない可動盤位置センサが可動盤２の位置を検出するように配されている。
【００３９】
図２に示した多層射出装置３０は、射出装置として、第１射出ユニット３１及び第２射出ユニット３２の２機を備えており、第１射出ユニット３１は、バレル３１Ａ、バレル３１Ａに内装されたスクリュ、バレル３１Ａに熱可塑性樹脂材料を供給するホッパ、該スクリュを前後進又回転させるスクリュ駆動装置３１Ｃを設けられている。そして、前記バレル３１Ａの外周面には、図示しないヒータが取り付けられている。
【００４０】
同様に、第２射出ユニット３２は、バレル３２Ａ、バレル３２Ａに内装されたスクリュ、バレル３２Ａに熱可塑性樹脂材料を供給するホッパ、該スクリュを前後進又回転させるスクリュ駆動装置３２Ｃを設けられている。そして、前記バレル３２Ａの外周面には、図示しないヒータが取り付けられている。
【００４１】
また、第１射出ユニットにおいては、スクリュが回転することにより、ホッパから熱可塑性樹脂材料がバレル３１Ａ内に供給される構成となっており、該供給された熱可塑性樹脂材料は、バレル３１Ａ内に取り付けられたヒータによって加熱され、また、スクリュの回転によって混練圧縮作用を受けることにより溶融してスクリュ前方へ送られる。
スクリュ前方へ送られた溶融樹脂は、スクリュによって、バレル３１Ａの先端に取り付けられたノズル３１Ｂから、固定型３に取り付けられた第１バルブ６Ａ等を介して金型キャビティ５へ充填することができる。
【００４２】
同様に、第２射出ユニットにおいては、バレル３２Ａの先端に取り付けられたノズル３２Ｂから、固定型３に取り付けられた第２バルブ６Ｂ等を介して金型キャビティ５へ充填することができる。
【００４３】
なお、制御装置６０は、金型の開閉や型締力を制御する型締制御部、第１及び第２の射出ユニットを制御して熱可塑性樹脂材料の可塑化と溶融樹脂の金型キャビティ５への充填を制御する射出制御部を備えている。
【００４４】
型締装置２０の型締制御部は、可動型４の開閉位置を必要に応じて多段階に設定でき、かつ、可動型４の開閉速度を必要により型開閉位置に応じて可変させるように設定可能な型締条件設定機、を備えており、設定値に基づいて、金型開閉期間中（即ち、型閉開始から最終型締を経て型開き完了に至るまでの期間中）の可動型４の開閉位置及び開閉速度が制御できるようになっている。さらに、前記型締条件設定機は、可動型４の開閉速度を可動型４の開閉位置に応じて多段階に変化するように設定することもでき、また、連続的に変化するように設定することもできる。
【００４５】
なお、可動型４の開閉位置は、予め記憶した可動盤２の位置に対応するクロスヘッドの位置関係データに基づいて、金型閉作動中に検出されたクロスヘッドの位置データによって制御されるようになっている。
【００４６】
以下、本発明による多層成形方法の好ましい一例について図３を用いて説明する。
まず、第一の工程として、型締装置２０により、図３（１）に示したように金型１０を可動盤２と固定盤１との間で型締めして、固定型３と可動型４の間に金型キャビティ５を形成する。
【００４７】
次に、第ニの工程として、図３（２）に示したように、第１バルブ６Ａを切り替えて開とした状態で、第１射出ユニット３１から第１の樹脂を金型キャビティ５内に充填する。そして、充填完了後に第１バルブ６Ａを切り替えて閉とした状態で、所定時間保持する。
本実施形態において、第１の樹脂として充填する樹脂は、熱可塑性樹脂で溶融状態にある樹脂とする。従って、金型キャビティ５内に充填された樹脂は、そこで所定時間保持されて冷却されることにより固化して、成形品の第１層を形成する。
なお、この工程において、第１の樹脂の冷却時間は、後述する工程で、金型１０をわずかに開く際において、又、第２の樹脂を金型キャビティ内に充填する際において、成形品の第１層が問題となるような損傷を受けない程度にまで固化させるに必要な時間である。
【００４８】
次に、第三の工程として、図３（３）に示したように、型締装置２０を作動させることにより、可動型４を反固定型３方向にわずかに移動させて、金型キャビティ５の容積を拡大させて、第１層目の成形品と可動型３の金型キャビティ面との間に隙間を開けて、空隙部を形成させる。なお、この空隙部は後述する第二の樹脂を充填するための新たなキャビティ空間となる。
【００４９】
そして、第四の工程として、図３（４）に示したように、第１スライドコア７、及び第２スライドコア８を駆動させて、金型キャビティ５の形状を変化させる。
図３に示した工程においては、油圧ラインＰ２及びＰ３に油を供給して油圧をかけると共に、油圧ラインＰ１及びＰ４から油を抜いて、第１スライドコア７を金型キャビティ５の方向（本実施形態においては固定型３側方向）に前進させて、第２スライドコア８を反金型キャビティ５の方向（本実施形態においては反固定型３側方向）に移動させて、金型キャビティの方向から後退させた。
【００５０】
なお、本実施形態においては、入れ子であるスライドコア７及び８の駆動方式として、油圧シリンダ方式を選んだが、本発明に適応できる入れ子の駆動方式はこれに限らないことは勿論であって、例えば、空圧シリンダ方式、電動式、カム式、又スプリング式等といった公知の駆動方式の採用が可能である。また、入れ子であるスライドコア７，８の移動量について、その移動精度を向上させるために、前進限と後退限を決めるリミットセンサ、或いは移動量検出センサなどを使用することは好ましい形態である。
【００５１】
また、本実施形態においては、第三の工程完了後、第四の工程に進んだが、第三の工程と第四の工程については、入れ子の動作が、成形品の第１層と型開動作に悪影響を与えない範囲でオーバラップさせて同時に行っても良い。
【００５２】
次に、第五の工程として、図３（５）に示したように、第２バルブ６Ｂを切り替えて開とした状態で、第２射出ユニット３２から第２の樹脂を拡大した金型キャビティ５内に充填する。そして、充填完了後に第２バルブ６Ｂを切り替えて閉とした状態で、所定時間保持して冷却固化させる。
【００５３】
所定時間保持して第２層の成形品が金型１０より取り出せる程度にまで固化した時点で、第六の工程に進み、図３（６）に示したように、型締装置２０を作動させることにより、成形品を金型１０より取り出す。
本実施形態においては前述した工程によって、第２層の成形品部分に突出部と嵌合部を形成して、他の部品との係合部分を形成した多層成形品を成形できる。
【００５４】
なお、本発明において、第１層及び第２層に用いられる熱可塑性樹脂材料は特に限定されるものではないが、第１層と第２層とが金型内において接合して一体化される樹脂が好ましく、例えば、ポリプロピレン、ポリエチレン等のオレフィン系樹脂、ポリスチレン、ポリメチルアクリレート等のアクリル系樹脂、６−ナイロン等のポリアミド樹脂、ポリエステル樹脂、ＡＢＳ樹脂、ポリカーボネイト樹脂、サーモプラスティツクエラストマ等が挙げられる。
【００５５】
以下、本発明による多層成形の好ましい他の一例について、図３にて説明した実施形態と異なる部分を中心にして、図４を用いて説明する。
図４に説明する工程は、第２層を成形する第２の樹脂として、予め発泡剤を混合する等して発泡性を有する溶融樹脂を使用した場合に好適な形態である。
【００５６】
まず、図３に示した実施形態と同様にして第一の工程から第四の工程まで行う。
そして、第五の工程として、図４（５）に示したように、第２バルブ６Ｂを切り替えて開とした状態で、第２射出ユニット３２から第２の樹脂を拡大した金型キャビティ５内に充填する。そして、充填完了後に第２バルブ６Ｂを切り替えて閉とした状態とする。
【００５７】
なお、本発明に使用される発泡剤としては、特に限定されるものではなく、化学発泡剤や物理発泡剤が使用できる。化学発泡剤では、重炭酸ソーダに代表される無機発泡剤やアゾジカルボンアミド（ＡＤＣＡ）に代表される有機発泡剤が挙げられる。
物理発泡剤では、二酸化炭素、窒素、二酸化炭素と窒素との混合ガス等の不活性ガスや空気等が挙げられる。これらの発泡剤は単独で使用しても、混合して使用しても良い。
【００５８】
次ぎに、第六の工程に進み、図４（６）に示したように、型締装置２０を作動させることにより、可動型４を反固定型３方向に移動させて、金型キャビティ５内で第２の樹脂が必要な倍率まで発泡して膨張できるように金型キャビティ５の容積をさらに拡大させる。
【００５９】
なお、図４に示した実施形態においては、第四の工程で第１スライドコア７及び第２スライドコア８を駆動して所定の位置まで移動させた後に、第２の樹脂を射出し、その後、第六の工程で金型キャビティを発泡に必要程度にまで拡大させている。
しかしながら、本発明の適応の範囲はこれに限らず、例えば、金型キャビティを発泡に必要程度にまで拡大させると同時に、或いは、金型キャビティを発泡に必要程度にまで拡大させた後に、第１スライドコア７及び第２スライドコア８を駆動して所定の位置まで移動させても良い。
【００６０】
特に、入れ子を金型キャビティ内に突出させるように移動させる場合であって、第２の樹脂である溶融樹脂の流動性が悪いような場合においては、溶融樹脂の金型充填を容易にするという有利な効果が期待できるという点で、金型キャビティ５を発泡に必要程度にまで拡大させた後、或いは金型キャビティ５を発泡に必要程度にまで拡大させると同時に、第１スライドコア７及び第２スライドコア８を駆動して所定の位置まで移動させることが好適である。発泡前の第２の樹脂を、金型キャビティ内に充填させる際においては、金型キャビティ内に突出部や嵌合部がない方が樹脂の流れが良好である。従って、樹脂を充填した後、有利である。
【００６１】
そして、発泡が完了した後、所定時間保持して第２層の発泡成形品が金型１０より取り出せる程度にまで固化した時点で、第七の工程に進み、図４（７）に示したように、型締装置２０を作動させることにより、成形品を金型１０より取り出す。
【００６２】
なお、本発明は、以上の実施態様に限定されるものではなく、その主旨を逸脱しない範囲において、種々の変更や改良を加え得るものであることは言うまでもない。
【図面の簡単な説明】
【００６３】
【図１】本発明の実施形態に係わり多層成形用金型の構成を説明するため概略の構造を示した要部断面図である。
【図２】本発明の実施形態に係り多層成形装置の全体構成を説明するため説明図である。
【図３】本発明の実施形態に係わり多層成形方法の工程を説明するため図である。
【図４】本発明の他の実施形態に係わり多層成形方法の工程を説明するため図である。
【図５】本発明の他の実施形態に係わり入れ子の駆動機構を説明する図である。
【符号の説明】
【００６４】
１    固定盤
２    可動盤
３    固定型
４    可動型
５    金型キャビティ
７    第１スライドコア
８    第２スライドコア
１０    多層成形用金型
２０    型締め装置
２１    トグル式型締機構
３０    多層射出装置
３１    第１射出ユニット
３２    第２射出ユニット
３Ａ    第１の樹脂導入口
３Ｂ    第２の樹脂導入口
６０    制御装置
６Ａ    第１バルブ（第１のバルブゲート）
６Ｂ    第２バルブ（第２のバルブゲート）
Ｐ１    油圧ライン（第１スライドコア用、ロッド側）
Ｐ２    油圧ライン（第１スライドコア用、ヘッド側）
Ｐ３    油圧ライン（第２スライドコア用、ロッド側）
Ｐ４    油圧ライン（第２スライドコア用、ヘッド側）
１００  多層成形装置
２０Ｂ    型締用サーボモータ
３１Ａ    バレル（第１射出ユニット）
３１Ｂ    ノズル（第１射出ユニット）
３１Ｃ    スクリュ駆動装置（第１射出ユニット）
３２Ａ    バレル（第２射出ユニット）
３２Ｂ    ノズル（第２射出ユニット）
３２Ｃ    スクリュ駆動装置（第２射出ユニット）
【図１】
2008149562.tif 000003
【図２】
2008149562.tif 000004
【図３】
2008149562.tif 000005
【図４】
2008149562.tif 000006
【図５】
2008149562.tif 000007